(57)【要約】  本明細書に開示される方法および装置は、無線通信デバイス（１２）がシステム帯域幅内（３０）のこれらのスケジュール済帯域幅（３６）にマッピングされたＤＲＭＳシーケンスエレメントを判定することを同時に可能としながら、システム帯域幅（３０）全体に対して付番される復調用参照信号（ＤＭＲＳ）シーケンスの使用を可能にする。有利なことに、無線通信デバイス（１２）は、システム帯域幅（３０）を知る必要はなく、さらにはこれらのスケジュール済帯域幅（３６）がシステム帯域幅（３０）内のどこにあるのかを知る必要さえない。【選択図】図３
2020516097.tif 000002
【特許請求の範囲】
【請求項１】
無線通信ネットワーク（１６）における動作のために設定された無線通信デバイス（１２）における動作の方法（６００）であって、
前記ネットワーク（１６）から受信した情報に基づいて、参照信号シーケンス（４０）のシーケンスオフセットを判定すること（６０２）と、
前記シーケンスオフセットに基づいて、前記参照信号シーケンス（４０）のどの部分が、前記参照信号シーケンス（４０）のオーバレイ部分（４４）と称される前記無線通信デバイス（１２）のスケジュール済帯域幅（３６）にオーバレイするかを判定すること（６０４）とを備え、
前記スケジュール済帯域幅（３６）は、前記ネットワーク（１６）に関連付けられた、より大きなシステム帯域幅（３０）の一部であり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間で規定されたマッピングにしたがって、前記システム帯域幅（３０）にオーバレイする、方法（６００）。
【請求項２】
前記参照信号シーケンス（４０）の前記オーバレイ部分（４４）に含まれる１つまたは複数の前記シーケンスエレメント（４２）を送信することと、
前記参照信号シーケンス（４０）の前記オーバレイ部分（４４）に含まれる１つまたは複数の前記シーケンスエレメント（４２）に基づいて復号を実行することと、
前記参照信号シーケンス（４０）の前記オーバレイ部分（４４）に含まれる１つまたは複数の前記シーケンスエレメント（４２）に基づいて干渉除去を実行することと、
前記参照信号シーケンス（４０）の前記オーバレイ部分（４４）に含まれる１つまたは複数の前記シーケンスエレメント（４２）に基づいてチャネル推定を実行することと
のうちの少なくとも１つを実行することをさらに備えた、請求項１に記載の方法（６００）。
【請求項３】
前記ネットワーク（１６）から受信した前記情報は、前記システム帯域幅（３０）内の設定済帯域幅（３４）の位置を直接または間接的に示し、前記シーケンスオフセットを判定すること（６０２）は、前記設定済帯域幅（３４）の位置、および前記設定済帯域幅（３４）内の前記スケジュール済帯域幅（３６）の位置に基づいて、前記シーケンスオフセットを判定することを備えた、請求項１または２に記載の方法（６００）。
【請求項４】
前記ネットワーク（１６）から受信した前記情報は、シード値を示し、前記シーケンスオフセットを判定すること（６０２）は、前記シード値を使用してシーケンスエレメント生成機能をシードすることによって、前記シーケンスオフセットを暗黙的に判定することを備え、前記シード値は、前記シーケンスオフセットの関数である、請求項１に記載の方法（６００）。
【請求項５】
前記シード値によってシードされると、前記シーケンスエレメント生成機能は、前記無線通信デバイス（１２）の設定済帯域幅（３４）に対応するシーケンスエレメント（４２）を生成し、前記設定済帯域幅（３４）は、前記スケジュール済帯域幅（３６）を含み、前記方法（６００）は、前記設定済帯域幅（３４）内の前記スケジュール済帯域幅（３６）の位置に基づいて、前記参照信号シーケンス（４０）の前記オーバレイ部分（４４）を判定することを含む、請求項４に記載の方法（６００）。
【請求項６】
前記規定されたマッピングは、前記参照信号シーケンス（４０）を構成するそれぞれのシーケンスエレメント（４２）を、前記システム帯域幅（３０）を構成するそれぞれの副搬送波（３２）にマッピングする、請求項１から５のいずれか一項に記載の方法（６００）。
【請求項７】
前記ネットワーク（１６）から受信した前記情報は、前記無線通信デバイス（１２）の設定済帯域幅（３４）の位置を、前記システム帯域幅（３０）内の参照位置に関係付けるオフセットを示し、前記シーケンスオフセットを判定すること（６０２）は、前記参照位置に対する前記設定済帯域幅（３４）の位置に基づいて、さらに、前記設定済帯域幅（３４）内の前記スケジュール済帯域幅（３６）の位置に基づいて、前記シーケンスオフセットを判定することを備える、請求項１に記載の方法（６００）。
【請求項８】
別のデバイスまたはノードによる参照信号送信から生じる、前記無線通信デバイス（１２）における干渉を、前記参照信号シーケンス（４０）の前記オーバレイ部分（４４）に含まれる１つまたは複数の前記シーケンスエレメント（４２）の関数として推定することをさらに備えた、請求項１から７のいずれか一項に記載の方法（６００）。
【請求項９】
前記参照信号シーケンス（４０）の前記オーバレイ部分（４４）に含まれる前記シーケンスエレメント（４２）は、干渉している前記ノードまたはデバイスによって使用される巡回シフトに依存し、前記干渉を推定することは、可能性のある巡回シフトの既知のセットにしたがって、前記巡回シフトを仮定することを含む、請求項８に記載の方法（６００）。
【請求項１０】
無線通信ネットワーク（１６）における動作のために設定された無線通信デバイス（１２）であって、
前記ネットワーク（１６）内の１つまたは複数のノードと無線通信するように設定された通信回路構成（７２）と、
前記通信回路構成（７２）と動作可能に関連付けられ、
前記ネットワーク（１６）から受信した情報に基づいて、参照信号シーケンス（４０）のシーケンスオフセットを判定し、
前記シーケンスオフセットに基づいて、前記参照信号シーケンス（４０）のどの部分が、前記参照信号シーケンス（４０）のオーバレイ部分（４４）と称される前記無線通信デバイス（１２）のスケジュール済帯域幅（３６）にオーバレイするのかを判定するように設定された処理回路構成（７４）とを備え、
前記スケジュール済帯域幅（３６）は、前記ネットワーク（１６）に関連付けられた、より大きなシステム帯域幅（３０）の一部であり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間で規定されたマッピングにしたがって、前記システム帯域幅（３０）にオーバレイする、無線通信デバイス（１２）。
【請求項１１】
前記処理回路構成（７４）は、
前記参照信号シーケンス（４０）の前記オーバレイ部分（４４）に含まれる１つまたは複数の前記シーケンスエレメント（４２）を送信することと、
前記参照信号シーケンス（４０）の前記オーバレイ部分（４４）に含まれる１つまたは複数の前記シーケンスエレメント（４２）に基づいて復号することと、
前記参照信号シーケンス（４０）の前記オーバレイ部分（４４）に含まれる１つまたは複数の前記シーケンスエレメント（４２）に基づいて干渉を除去することと、
前記参照信号シーケンス（４０）の前記オーバレイ部分（４４）に含まれる１つまたは複数の前記シーケンスエレメント（４２）に基づいてチャネルを推定することと
のうちの少なくとも１つを実行するように設定された、請求項１０に記載の無線通信デバイス（１２）。
【請求項１２】
前記ネットワーク（１６）から受信した前記情報は、前記システム帯域幅（３０）内の設定済帯域幅（３４）の位置を直接または間接的に示し、前記処理回路構成（７４）は、前記設定済帯域幅（３４）の位置、および前記設定済帯域幅（３４）内の前記スケジュール済帯域幅（３６）の位置に基づいて、前記シーケンスオフセットを判定するように設定された、請求項１０または１１に記載の無線通信デバイス（１２）。
【請求項１３】
前記ネットワーク（１６）から受信した前記情報は、シード値を示し、前記処理回路構成（７４）は、前記シード値を使用してシーケンスエレメント生成機能をシードすることによって、前記シーケンスオフセットを暗黙的に判定するように設定され、前記シード値は、前記シーケンスオフセットの関数である、請求項１０に記載の無線通信デバイス（１２）。
【請求項１４】
前記シード値によってシードされると、前記シーケンスエレメント生成機能は、前記無線通信デバイス（１２）の設定済帯域幅（３４）に対応するシーケンスエレメント（４２）を生成し、前記設定済帯域幅（３４）は、前記スケジュール済帯域幅（３６）を含み、前記処理回路構成（７４）は、前記設定済帯域幅（３４）内の前記スケジュール済帯域幅（３６）の位置に基づいて、前記参照信号シーケンス（４０）の前記オーバレイ部分（４４）を判定するように設定された、請求項１３に記載の無線通信デバイス（１２）。
【請求項１５】
前記規定されたマッピングは、前記参照信号シーケンス（４０）を構成するそれぞれのシーケンスエレメント（４２）を、前記システム帯域幅（３０）を構成するそれぞれの副搬送波（３２）にマッピングする、請求項１０から１４のいずれか一項に記載の無線通信デバイス（１２）。
【請求項１６】
前記ネットワーク（１６）から受信した前記情報は、前記無線通信デバイス（１２）の設定済帯域幅（３４）の位置を、前記システム帯域幅（３０）内の参照位置に関係付けるオフセットを示し、前記処理回路構成（７４）は、前記参照位置に対する前記設定済帯域幅（３４）の位置に基づいて、さらに、前記設定済帯域幅（３４）内の前記スケジュール済帯域幅（３６）の位置に基づいて、前記シーケンスオフセットを判定するように設定された、請求項１０に記載の無線通信デバイス（１２）。
【請求項１７】
前記処理回路構成（７４）は、別のデバイスまたはノードによる参照信号送信から生じる、前記無線通信デバイス（１２）における干渉を、前記参照信号シーケンス（４０）の前記オーバレイ部分（４４）に含まれる１つまたは複数の前記シーケンスエレメント（４２）の関数として推定するように設定された、請求項１０から１６のいずれか一項に記載の無線通信デバイス（１２）。
【請求項１８】
前記参照信号シーケンス（４０）の前記オーバレイ部分（４４）に含まれる前記シーケンスエレメント（４２）は、干渉している前記ノードまたはデバイスによって使用される巡回シフトに依存し、前記処理回路構成（７４）は、前記干渉を推定するために、可能性のある巡回シフトの既知のセットにしたがって、前記巡回シフトを仮定するように設定された、請求項１７に記載の無線通信デバイス（１２）。
【請求項１９】
無線通信ネットワーク（１６）における動作のために設定されたネットワークノード（５０）における動作の方法（７００）であって、
参照信号シーケンス（４０）のどの部分が、前記参照信号シーケンス（４０）のオーバレイ部分（４４）と称される、前記無線通信デバイス（１２）のスケジュール済帯域幅（３６）にオーバレイしているのかを無線通信デバイス（１２）が判定できる値を決定すること（７０２）であって、前記スケジュール済帯域幅（３６）は、前記無線通信デバイス（１２）のために設定されている設定済帯域幅（３４）内、およびより大きなシステム帯域幅（３０）内にあり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間で規定されたマッピングにしたがって、前記システム帯域幅（３０）にオーバレイする、決定すること（７０２）と、
前記値を前記無線通信デバイス（１２）へシグナリングすること（７０４）であって、これによって、前記無線通信デバイス（１２）が、前記参照信号シーケンス（４０）の前記オーバレイ部分（４４）を判定し、これに対応して、前記参照信号シーケンス（４０）のどのシーケンスエレメント（４２）が前記スケジュール済帯域幅（３６）内の前記副搬送波（３２）と関連付けられているのかを識別することが可能になる、シグナリングすること（７０４）とを備えた、方法（７００）。
【請求項２０】
前記無線通信デバイス（１２）のための前記設定済帯域幅（３４）を設定することをさらに備えた、請求項１９に記載の方法（７００）。
【請求項２１】
前記値を決定すること（７０２）は、前記無線通信デバイス（１２）においてシーケンスエレメント生成機能をシードするためのシード値を決定することを備えた、請求項１９または２０に記載の方法（７００）。
【請求項２２】
前記値を決定すること（７０２）は、前記参照信号シーケンス（４０）の前記オーバレイ部分（４４）に対応するシーケンスオフセットを識別する、または、前記システム帯域幅（３０）内の前記設定済帯域幅（３４）の位置オフセットを識別する、オフセット値を決定することを備え、そこから、前記シーケンスオフセットが前記無線通信デバイス（１２）において導出可能である、請求項１９または２０に記載の方法（７００）。
【請求項２３】
前記値を決定すること（７０２）は、前記設定済帯域幅（３４）を、前記システム帯域幅（３０）内の参照位置に関係付けるオフセット値を決定することを備えた、請求項１９または２０に記載の方法（７００）。
【請求項２４】
前記無線通信デバイス（１２）から前記ネットワーク（１６）において受信されたアップリンク送信に関して、前記システム帯域幅（３０）内の前記スケジュール済帯域幅（３６）の位置と、前記規定されたマッピングとに基づいて、アップリンク参照信号シーケンスからのどのシーケンスエレメントが、前記アップリンク送信に含まれるか、または、前記アップリンク送信と干渉するかを判定する、請求項１９から２３のいずれか一項に記載の方法（７００）。
【請求項２５】
無線通信ネットワーク（１６）における動作のために設定されたネットワークノード（５０）であって、
前記ネットワーク（１６）において動作する無線通信デバイス（１２）と直接または間接的に通信するように設定された通信回路構成（５２）と、
前記通信回路構成（５２）と動作可能に関連付けられた処理回路構成（５４）であって、
参照信号シーケンス（４０）のどの部分が、前記参照信号シーケンス（４０）のオーバレイ部分（４４）と称される、前記無線通信デバイス（１２）のスケジュール済帯域幅（３６）にオーバレイしているのかを前記無線通信デバイス（１２）が判定できる値を決定することであって、前記スケジュール済帯域幅（３６）は、前記無線通信デバイス（１２）のために設定されている設定済帯域幅（３４）内、およびより大きなシステム帯域幅（３０）内にあり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間で規定されたマッピングにしたがって、前記システム帯域幅（３０）にオーバレイする、決定することと、
前記値を前記無線通信デバイス（１２）へシグナリングすることであって、これによって、無線通信デバイス（１２）が、前記参照信号シーケンス（４０）の前記オーバレイ部分（４４）を判定し、これに対応して、前記参照信号シーケンス（４０）のどのシーケンスエレメント（４２）が前記スケジュール済帯域幅（３６）内の前記副搬送波（３２）と関連付けられているのかを識別することが可能になる、シグナリングすることと、
を実行するように設定された処理回路構成（５４）とを備えた、ネットワークノード（５０）。
【請求項２６】
前記無線通信デバイス（１２）のための前記設定済帯域幅（３４）が、前記処理回路構成（５４）によって設定される、請求項２５に記載のネットワークノード（５０）。
【請求項２７】
前記処理回路構成（５４）は、前記値を、前記無線通信デバイス（１２）においてシーケンスエレメント生成機能をシードするためのシード値として決定するように設定された、請求項２５または２６に記載のネットワークノード（５０）。
【請求項２８】
前記処理回路構成（５４）は、前記参照信号シーケンス（４０）の前記オーバレイ部分（４４）に対応するシーケンスオフセットを識別する、または、前記システム帯域幅（３０）内の前記設定済帯域幅（３４）の位置オフセットを識別するオフセット値として、前記値を決定するように設定され、そこから、前記シーケンスオフセットが前記無線通信デバイス（１２）において導出可能である、請求項２５または２６に記載のネットワークノード（５０）。
【請求項２９】
前記処理回路構成（５４）は、前記設定済帯域幅（３４）を前記システム帯域幅（３０）内の参照位置に関係付けるオフセット値として、前記値を決定するように設定された、請求項２５または２６に記載のネットワークノード（５０）。
【請求項３０】
前記無線通信デバイス（１２）から前記ネットワーク（１６）において受信されたアップリンク送信に関して、前記処理回路構成（５４）は、前記システム帯域幅（３０）内の前記スケジュール済帯域幅（３６）の位置と、前記規定されたマッピングとに基づいて、アップリンク参照信号シーケンスからのどのシーケンスエレメントが、前記アップリンク送信に含まれるか、または、前記アップリンク送信と干渉するかを判定するように設定された、請求項２５から２９のいずれか一項に記載のネットワークノード（５０）。
【発明の詳細な説明】
【技術分野】
【０００１】
本発明は、通信ネットワークに関し、特に通信ネットワークにおける参照信号オフセットの判定に関する。
【背景技術】
【０００２】
第３世代パートナーシッププロジェクト（３ＧＰＰ）によって公布されているようなＬｏｎｇ−Ｔｅｒｍ  Ｅｖｏｌｕｔｉｏｎ（ＬＴＥ）仕様に基づくネットワークは、２種類の参照信号である、セル固有参照信号すなわちＣＲＳと、復調用参照信号すなわちＤＭＲＳとを使用し、これらはＤＭ−ＲＳとも示される。ＣＲＳは、含まれる全体的な「システム」帯域幅に及び、これらは「常時オン」である。対照的に、ＤＭＲＳはこれらが関係するスケジュール済帯域幅だけに及び、データを送信するときだけ送信される。
【０００３】
常に送信される参照信号の利点は、３ＧＰＰの用語ではＵＥまたはユーザ機器と称される無線通信デバイスが、これらの存在に頼ることができることである。ＣＲＳに関する欠点は、データが送信されない場合でもＣＲＳが送信されることがあることから、高いネットワークエネルギ消費を含む。ＣＲＳはまた、不要であっても送信されるため、不要な干渉を引き起こす。
【０００４】
例示的なシステム帯域幅と、システム帯域幅内でのＣＲＳおよびＤＭＲＳの送信を示す図１を参照されたい。ＬＴＥコンテキストに適用可能な直交周波数分割多重（ＯＦＤＭ）の例では、システム帯域幅は、総体として、システム帯域幅に及ぶ複数の離間した狭帯域副搬送波を備える。各送信時間において費やされる各副搬送波は、リソースエレメントすなわちＲＥと見なすことができ、図１は、ＣＲＳおよびＤＭＲＳが固有の時間に固有の副搬送波で送信される、ＯＦＤＭ時間−周波数グリッドの一部を示すものとして理解され得る。より具体的には、スケジュールされたリソース上でのデータ送信と連携したＤＭＲＳの送信とともに、システム帯域幅にわたるＣＲＳの定期的な送信が見られる。
【０００５】
ＬＴＥでは、所与の副搬送波で送信されるＤＲＭＳシーケンスエレメントは、システム帯域幅全体を構成する複数の副搬送波全体内の副搬送波の位置に依存する。たとえば、副搬送波が０からＮまで付番されている場合、ｍ番目の副搬送波に関連付けられたシーケンスエレメントは、ｍの値に依存する。このアプローチは、システム帯域幅に適合する「グローバル」な付番スキームとして理解され得、重要な点として、ＬＴＥ  ＵＥは、システム帯域幅全体をサポートする。
【０００６】
より詳細には、ＬＴＥでは、アンテナポートｐ∈｛７，８，．．．，ｖ＋６｝のいずれについても、ダウンリンクＤＬ内の副搬送波ｍ上のＤＭＲＳのために使用される参照信号シーケンスｒ（ｍ）であるシステム帯域幅
2020516097.tif 000003
リソースブロックは、
2020516097.tif 000004
2020516097.tif 000005
によって規定される。
【０００７】
擬似ランダムシーケンスｃ（ｉ）は、長さ３１のＧｏｌｄシーケンスによって規定される。
【０００８】
長さＭＰＮの出力シーケンスｃ（ｎ）（ここで、ｎ＝０，１，．．．，ＭＰＮ−１）は、
ｃ（ｎ）＝（ｘ１（ｎ＋ＮＣ）＋ｘ２（ｎ＋ＮＣ））ｍｏｄ２
ｘ１（ｎ＋３１）＝（ｘ１（ｎ＋３）＋ｘ１（ｎ））ｍｏｄ２
ｘ２（ｎ＋３１）＝（ｘ２（ｎ＋３）＋ｘ２（ｎ＋２）＋ｘ２（ｎ＋１）＋ｘ２（ｎ））ｍｏｄ２
によって既定され、ここで、ＮＣ＝１６００であり、第１のｍシーケンスは、ｘ１（０）＝１，ｘ１（ｎ）＝０，ｎ＝１，２，．．．，３０で初期化されるものとする。第２のｍシーケンスの初期化は、
2020516097.tif 000006
によって示され、この値は、シーケンスの用途に依存する。
【０００９】
擬似ランダムシーケンス生成器は、ＬＴＥにおけるＤＭＲＳについて、各サブフレームの開始時に
2020516097.tif 000007
を用いて初期化されるものとする。
【００１０】
この量
2020516097.tif 000008
、ｉ＝０，１、は
−
2020516097.tif 000009
の値が上位層によって提供されない場合、または、ＤＣＩフォーマット１Ａ、２Ｂ、または２Ｃが、ＰＤＳＣＨ送信に関連付けられたＤＣＩのために使用されている場合には、
2020516097.tif 000010
によって、
−そうではなく、この値が、ＰＤＳＣＨをスケジュールするために使用されるダウンリンク制御情報において示される場合には、
2020516097.tif 000011
によって与えられる。ここで、「ＤＣＩ」はダウンリンク制御情報を示し、「ＰＤＳＣＨ」は物理ダウンリンク共有チャネルを示す。
【００１１】
ＮＲのコンテキストにおけるＤＲＭＳ信号の生成および使用に関してある種の複雑さが生じることがここで認識され、「ＮＲ」は、５Ｇネットワークとも称される次世代通信ネットワークの進行中の開発において論議されている新たな無線規格を示す。ＮＲは、広いシステム帯域幅、たとえば１ＧＨｚ以上の帯域幅を企図し、ＮＲシステムで動作するすべての端末が、全体的なシステム帯域幅にわたって動作する能力を有する訳ではない。
【００１２】
したがって、ＮＲは、システム帯域幅の一部のみをサポートすることができる端末のためのサポートを提供する。たとえば、ネットワークは、端末の設定済帯域幅と称される、端末による使用のためのシステム帯域幅の一部を設定し、その後、端末のスケジュール済帯域幅と称される、設定済帯域幅内の帯域幅を、端末をスケジュールするために使用する。
【００１３】
端末は、同期信号およびブロードキャストチャネルを検出し、後続するランダムアクセスを実行することによって、ＮＲ搬送波へのアクセスを実行することができる。ランダムアクセスの後、ネットワークは、初期アクセスのために使用された周波数に対して新たな周波数に端末を設定できる。このアプローチは、端末がシステム帯域幅を知ること、またはその設定済帯域幅が、システム帯域幅内のどこにあるのかを知ることを必要としない。
【発明の概要】
【００１４】
本明細書で開示される方法および装置は、システム帯域幅内でスケジュール済帯域幅にマッピングされたＤＲＭＳシーケンスエレメントを、無線通信デバイスが判定することを同時に可能にしながら、システム帯域幅全体に対して付番された復調用参照信号ＤＭＲＳシーケンスの使用を可能にする。有利なことに、無線通信デバイスは、システム帯域幅を知る必要はなく、あるいはこれらのスケジュール済帯域幅が、システム帯域幅内のどこにあるのかを知る必要さえない。
【００１５】
無線通信デバイスにおける動作の例示的な方法は、無線通信ネットワークから受信された情報に基づいて、参照信号シーケンス、たとえばＤＭＲＳシーケンスのシーケンスオフセットを判定することを含む。この方法は、シーケンスオフセットに基づいて、参照信号シーケンスのどの部分が、参照信号シーケンスのオーバレイ部分４４と称される無線通信デバイスのスケジュール済帯域幅にオーバレイするかを判定することをさらに含む。ここで、スケジュール済帯域幅は、ネットワークに関連付けられた、より大きなシステム帯域幅の一部であり、参照信号シーケンスは、参照信号シーケンスを構成するそれぞれのシーケンスエレメントと、システム帯域幅を構成するそれぞれの副搬送波との間で規定されたマッピングにしたがって、システム帯域幅にオーバレイする。
【００１６】
対応する例では、無線通信デバイスは、無線通信ネットワークにおける動作のために設定され、ネットワーク内の１つまたは複数のノードと無線通信するように設定された通信回路構成と、通信回路構成と動作可能に関連付けられた処理回路構成とを備える。処理回路構成は、ネットワークから受信した情報に基づいて、参照信号シーケンスのシーケンスオフセットを判定し、シーケンスオフセットに基づいて、参照信号シーケンスのどの部分が無線通信デバイスのスケジュール済帯域幅にオーバレイするかを判定するように設定される。このような部分は、参照信号シーケンスのオーバレイ部分と称される。前述のように、スケジュール済帯域幅は、ネットワークに関連付けられた、より大きなシステム帯域幅の一部であり、参照信号シーケンスは、参照信号シーケンスを構成するそれぞれのシーケンスエレメントと、システム帯域幅を構成するそれぞれの副搬送波との間で規定されたマッピングにしたがって、システム帯域幅にオーバレイする。
【００１７】
別の例示的な実施形態では、無線通信ネットワークにおける動作のために設定されたネットワークノードにおける動作の方法は、参照信号シーケンスのどの部分が、無線通信デバイスのスケジュール済帯域幅にオーバレイするのかを、無線通信デバイスが判定できる値を決定することを含む。スケジュール済帯域幅は、無線通信デバイスのために設定された設定済帯域幅内、および、より大きなシステム帯域幅内にあり、参照信号シーケンスは、参照信号シーケンスを構成するそれぞれのシーケンスエレメントと、システム帯域幅を構成するそれぞれの副搬送波との間で規定されたマッピングにしたがって、システム帯域幅にオーバレイする。この方法はさらに、ネットワークノードが無線通信デバイスに値をシグナリングし、これによって無線通信デバイスが参照信号シーケンスのオーバレイ部分を判定し、これに対応して参照信号シーケンスのどのシーケンスエレメントが、スケジュール済帯域幅内の副搬送波に関連付けられているのかを識別することを可能にする。
【００１８】
対応する例では、ネットワークノードは、ネットワーク内で動作している無線通信デバイスと直接または間接的に通信するように設定された通信回路構成を備える。ネットワークノードは、通信回路構成と動作可能に関連付けられ、参照信号シーケンスのどの部分が、無線通信デバイスのスケジュール済帯域幅にオーバレイするかを無線通信デバイスが判定できる値を決定するように設定された処理回路構成をさらに含む。シーケンスのその部分は、オーバレイ部分と称され、スケジュール済帯域幅は、無線通信デバイスのために設定された設定済帯域幅内にある。一方、設定済帯域幅は、より大きなシステム帯域幅内にあり、参照信号シーケンスは、参照信号シーケンスを構成するそれぞれのシーケンスエレメントと、システム帯域幅を構成するそれぞれの副搬送波との間で規定されたマッピングにしたがって、システム帯域幅にオーバレイする。
【００１９】
処理回路構成はさらに、値を無線通信デバイスにシグナリングするように設定される。このようなシグナリングは、無線通信デバイスが、参照信号シーケンスのオーバレイ部分を判定し、これに対応して参照信号シーケンスのどのシーケンスエレメントが、設定済帯域幅の副搬送波に関連付けられているかを識別することを可能にする。
【００２０】
もちろん、本発明は上記の特徴および利点に限定されない。当業者は、以下の詳細な説明を読み、添付の図面を見れば、さらなる特徴および利点を認識するであろう。
【図面の簡単な説明】
【００２１】
【図１】例示的なＣＲＳおよびＤＭＲＳ送信の図である。
【図２】無線通信ネットワークの一実施形態のブロック図である。
【図３】参照信号シーケンスとシステム帯域幅との間で規定されたマッピングの一実施形態の図である。
【図４】時間−周波数グリッドに対応するリソースエレメントを示す図である。
【図５】無線通信デバイスおよびネットワークノードの例示的な実施形態を示すブロック図である。
【図６】無線通信デバイスにおける処理の方法の一実施形態を示す論理フロー図である。
【図７】ネットワークノードにおける処理の方法の一実施形態を示す論理フロー図である。
【図８】オーバラップするスケジュール済帯域幅を有する犠牲デバイスおよびアグレッサデバイスの例示的な事例を示す図である。
【図９】オーバラップするスケジュール済帯域幅を有する犠牲デバイスおよびアグレッサデバイスの例示的な事例を示す図である。
【発明を実施するための形態】
【００２２】
図２は、無線通信ネットワーク１６、「ネットワーク１６」の一実施形態を示す。ネットワーク１６は、無線通信デバイス１２、「デバイス１２」をインターネットまたは他のパケットデータネットワーク（ＰＤＮ）などの１つまたは複数の外部ネットワーク１４に通信可能に結合することなどによって、１つまたは複数の通信サービスをデバイス１２に提供する。ネットワーク１６は、無線アクセスネットワーク（ＲＡＮ）１８を含む。ＲＡＮ１８は、基地局、アクセスポイント、送信ポイントなどと称され得る１つまたは複数の無線ネットワークノード２０を含む。コアネットワーク（ＣＮ）２２は、たとえば、デバイス１２のためのモビリティ管理およびパケットルーティングを提供し、パケットゲートウェイ、モビリティ管理エンティティ、認証サーバなどのような１つまたは複数のＣＮノード２４を含む。ネットワーク１６は、ネットワーク１６内の様々な機能のための処理サービスを提供する１つまたは複数のクラウドベースまたは集中型処理ノードをさらに含むか、またはこれらに関連付けられ得る。
【００２３】
ネットワーク１６は、同じまたは異なるタイプの複数の他のノードを含むことができ、多数の無線ネットワークノード２０を含むことができ、複数のＲＡＮを含むことができ、複数の無線アクセス技術（ＲＡＴ）で動作することができるので、図は単純化されていると理解されたい。一例では、異なるタイプの無線ネットワークノード２０が、２つ以上のＲＡＴを含み得るヘテロジニアスな無線アクセスネットワークを提供する。さらに、新たな無線（ＮＲ）５Ｇの実施のコンテキストでは、ネットワーク１６は、たとえば、１つまたは複数の無線ネットワークノード２０からの潜在的に大きな複数のビーム内の割当ビームを使用して、デバイス１２にカバレッジを提供するビームフォーミングを使用することができる。
【００２４】
またさらに、特に断りのない限り、「デバイス」、「無線通信デバイス」、「ユーザ機器」、および「ＵＥ」という用語は、本明細書では互換的に使用される。特に指定のない限り、デバイス１２は、ネットワーク１６によって使用される１つまたは複数の無線アクセス技術ＲＡＴを介してネットワーク１６に無線接続するように設定された本質的に任意の装置を備える。固定デバイスも考えられるが、デバイス１２は移動式でもよく、非限定的な例としては、スマートフォンまたはフィーチャーフォンであり得るセルラ無線電話、ラップトップ、タブレット、無線モデムまたはアダプタ、マシンツーマシン（Ｍ２Ｍ）、またはマシン型通信（ＭＴＣ）デバイス、モノのインターネット（ＩｏＴ）デバイスなどを含む。
【００２５】
図３は、デバイス１２およびネットワーク１６のコンテキストにおいて考えられる例示的な実施形態を示しており、システム帯域幅３０はネットワーク１６に関連付けられる。非限定的な例として、システム帯域幅は、ＮＲ送信ポイントまたはトランシーバとして動作している、ＲＡＮ１８内の無線ネットワークノード２０によってサポートされるエアインターフェース帯域幅を表す。デバイス１２は、複数の周波数副搬送波３２を構成するシステム帯域幅３０の一部をサポートする。副搬送波３２は、低周波数から高周波数へ、高周波数から低周波数へ、または他の順序付きスキームにしたがって付番され得る。したがって、図３は、無線ネットワークノード２０の動作帯域幅能力が、デバイス１２の動作帯域幅能力と異なるシナリオを描いていると見なすことができる。
【００２６】
デバイス１２は、システム帯域幅３０とともに含まれるがデバイス１２の帯域幅制限に適合する、ネットワーク１６によって設定された設定済帯域幅３４に関連付けられる。ネットワーク１６は、設定済帯域幅３４とともに含まれるスケジュール済帯域幅３６を使用して、データ送信または受信のためにデバイス１２をスケジュールする。ＲＡＮ１８内の所与のノード２０は、自身のシステム帯域幅３０内で多くのデバイス１２をサポートすることができ、システム帯域幅３０全体内の様々な位置に、対応する設定済帯域幅３４を発見することができる。
【００２７】
非限定的な例として、ページの左側に見られるシステム帯域幅３０を構成するものとして示されている副搬送波３２の集合は、何らかのグローバルスキームにしたがって付番され得る。対応して、ページの右側に見られる参照信号シーケンス４０は、システム帯域幅３０にマッピングするか、またはシステム帯域幅３０と整列する。参照信号シーケンス４０内のそれぞれのシーケンスエレメント４２と、システム帯域幅３０内のそれぞれの副搬送波３２との間の対応付けは、図中でこれらの間に示される水平方向の整列によって示唆される。
【００２８】
しかしながら、描かれたマッピングは、限定ではなく例として示されており、ここでの一般的な考え方は、システム帯域幅３０内の副搬送波３２と、参照信号シーケンス４０内のシーケンスエレメント４２との間に規定された関連付けがあるというものであることが理解されよう。一例では、参照信号シーケンス４０は、各シーケンスエレメント４２が、対応する副搬送波３２の数に依存するように生成されたＤＭＲＳシーケンスを備え、副搬送波３２は「グローバル」なシステム帯域幅３０内で付番される。たとえば、ＬＴＥについて本開示の背景技術で説明したＤＭＲＳシーケンス生成スキームを参照されたい。
【００２９】
すると、このフレームワーク内では、所与のデバイス１２のスケジュール済帯域幅３６内に含まれる副搬送波３２に対応するシーケンスエレメント４２は、スケジュール済帯域幅３６がシステム帯域幅３０内のどこに位置するかに依存する。図示された例では、デバイス１２の設定済帯域幅３４は、システム帯域幅３０の開始点に対してオフセットされた周波数に配置され、スケジュール済帯域幅３６は、設定済帯域幅３４の開始に対してさらにオフセットして配置される。ここで、スケジュール済帯域幅３６のサイズおよび位置は、進行中のスケジューリング動作の一部として、設定済帯域幅３４内で変わり得ることに留意されたい。システム帯域幅３０のグローバル付番を参照すると、設定済帯域幅３４は、システム帯域幅３０における点Ａで始まってシステム帯域幅３０における点Ｃに行く一方、スケジュール済帯域幅３６は点Ｂから点Ｃに行く。
【００３０】
参照信号シーケンス４０は、規定されたマッピングにしたがって、システム帯域幅３０にマッピング、対応、整列、または「オーバレイ」するので、参照信号シーケンス４０の特定の部分４４は、デバイス１２のスケジュール済帯域幅３６にオーバレイする。ラベリングにしたがって、参照信号シーケンス４０内の点Ｅから点Ｆに行くシーケンスエレメント４２は、システム帯域幅３０内の点Ｂから点Ｃに行く副搬送波３２にオーバレイ（マッピング）する。より一般的には、点Ｄから点Ｆまでのシーケンスセグメントは、点Ａから点Ｃまでの帯域幅セグメントにオーバレイする。
【００３１】
図４は、システム帯域幅３０の別の図を示し、今回は、時間−周波数グリッドのコンテキストで示され、ここで、送信時間と副搬送波３２との間の交差点は「リソースエレメント」またはＲＥ３８を表す。対応する副搬送波３２上のシーケンスエレメント４２の送信または受信は、その副搬送波３２上に規定されたリソースエレメント３８上の送信または受信を意味することが理解されるであろう。
【００３２】
上記のフレームワークを念頭に置いて、本明細書に開示される方法および装置は、デバイス１２が、システム帯域幅３０を知る必要なしに、参照信号シーケンス４０のオーバレイ部分４４を判定することを可能にする。少なくともいくつかの実施形態では、デバイス１２は、そのスケジュール済帯域幅３６が、システム帯域幅３０内のどこに位置するかについての明確な知識なしに、参照信号シーケンス４０のオーバレイ部分４４を判定する。
【００３３】
図５は、本明細書に開示されるそれぞれのデバイス側およびネットワーク側の動作を実行するように設定されたデバイス１２およびネットワークノード５０の例示的な実施形態を示している。ノード５０は、ＲＡＮ１８内、ＣＮ２２内、またはクラウドベースのノード２６としてなど、様々なネットワーク場所において実施され得る。さらに、ノード５０は、２つ以上のノードを備え得、すなわちその機能は分散され得る。少なくとも１つの実施形態では、ノード５０は、図２に見られる無線ネットワークノード２０と同じ場所に配置されるか、または無線ネットワークノード２０の中に実施され、ネットワーク１６内に多数のこのようなノード２０が存在し得ることが理解されよう。
【００３４】
実施される場合はいつでも、例示的な実施形態では、ノード５０は、デバイス１２と直接または間接的に通信するように設定された通信回路構成５２を含む。たとえば、通信回路構成５２は、ダウンリンク上で信号を１つまたは複数のデバイス１２に送信し、このようなデバイス１２からアップリンク上で信号を受信するように設定された無線周波数（ＲＦ）トランシーバ回路構成、すなわち送信回路および受信回路を含む。追加的または代替的に、通信回路構成５２は、ネットワーク１６内の１つまたは複数の他のノードと通信するための１つまたは複数のネットワークまたはコンピュータデータインターフェースを含む。少なくとも１つのこのような例では、ノード５０は、デバイス１２に無線で結合するためのエアインターフェースを提供する別のノードに向けてシグナリングを送信することによってデバイス１２と間接的に通信する。
【００３５】
ノード５０は、通信回路構成５２と動作可能に関連付けられ、記憶装置５６を含むかまたはこれと関連付けられる処理回路構成５４をさらに含む。処理回路構成５４は、固定回路構成、またはプログラムされた回路構成、あるいは固定およびプログラムされた回路構成の組合せを備える。少なくとも１つの実施形態では、処理回路構成５４は、１つまたは複数のマイクロプロセッサ、デジタル信号プロセッサ（ＤＳＰ）、フィールドプログラマブルゲートアレイ（ＦＰＧＡ）、特定用途向け集積回路（ＡＳＩＣ）、または他のデジタル処理回路構成を備える。少なくとも１つのこのような実施形態では、処理回路構成５４は、記憶装置５６に保持されている１つまたは複数のコンピュータプログラム５８に記憶されているコンピュータプログラム命令の実行に基づいて、本明細書の教示にしたがって設定される。記憶装置５６はさらに、処理回路構成５４によって事前に準備されたおよび／または動的に取得された１つまたは複数の設定データ６０の項目を保持することができる。
【００３６】
１つまたは複数の実施形態では、記憶装置５６は、揮発性の作業メモリとともに、不揮発性メモリ回路またはディスク記憶装置の組合せなどの１つまたは複数のタイプのコンピュータ可読媒体を備える。不揮発性記憶装置の非限定的な例は、ソリッドステートディスク（ＳＳＤ）記憶装置、ＦＬＡＳＨ、およびＥＥＰＲＯＭを含み、揮発性作業メモリの非限定的な例は、ＤＲＡＭまたはＳＲＡＭ回路構成を含む。
【００３７】
少なくとも１つの実施形態では、通信回路構成５２は、ネットワーク１６内で動作するデバイス１２と直接または間接的に通信するように設定され、処理回路構成５４は、通信回路構成５２と動作可能に関連付けられ、いくつかの機能または動作を実行するように設定される。処理回路構成５４は、参照信号シーケンス４０のどの部分がデバイス１２のスケジュール済帯域幅３６にオーバレイするかをデバイス１２が判定することができる値を決定するように設定される。
【００３８】
前述のように、参照信号シーケンス４０のその部分は、オーバレイ部分４４と称され、スケジュール済帯域幅３６は、デバイス１２のために設定された設定済帯域幅３４内にある。言い換えると、設定済帯域幅３４は、システム帯域幅３０内にある。規定されたマッピングは、シーケンス４０とシステム帯域幅３０との間の対応関係を判定する、すなわち、参照信号シーケンス４０を構成するそれぞれのシーケンスエレメント４２と、システム帯域幅３０を構成するそれぞれの副搬送波３２との間のマッピングを規定する。ここで、無線通信デバイス１２のための設定済帯域幅３４は、処理回路構成５４によって設定され得る。同様に、スケジュール済帯域幅３６は、その中で実施されるスケジューリング機能の一部として、処理回路構成５４によって動的に選択され得る。
【００３９】
処理回路構成５４はさらに、その値をデバイス１２にシグナリングし、これによってデバイス１２が、参照信号シーケンス４０のオーバレイ部分４４を判定することを可能にし、これに対応して、参照信号シーケンス４０のどのシーケンスエレメント４２が、スケジュール済帯域幅３６内の副搬送波３２に関連付けられているのかを識別することを可能にするように設定される。たとえば、この値は、設定済帯域幅３４を設定することに連携してデバイス１２にシグナリングされ得る。
【００４０】
一例では、処理回路構成５４は、無線通信デバイスにおいてシーケンスエレメント生成機能をシードするためのシード値として、この値を決定する。シード値は、参照信号シーケンス４０のどこで生成器が「開始する」のかを制御するので、処理回路構成５４は、適用可能なシーケンスオフセットを暗黙的にデバイス１２に提供することができる。すなわち、処理回路構成５４は、デバイス１２におけるシーケンスエレメント生成が、設定済帯域幅３４における第１のシーケンスエレメント４２で開始するように、その設定済帯域幅３４の開始に対応するシード値をデバイス１２に提供することができる。
【００４１】
デバイス１２は、設定済帯域幅３４内の自身のスケジュール済帯域幅３６の位置を知っているので、開始シーケンスエレメント４２を知ることは、自身のスケジュール済帯域幅３６内の副搬送波３２に対応するシーケンスエレメント４２を知っている、すなわち、参照信号シーケンス４０のオーバレイ部分４４を知っていることを意味する。有利なことに、このアプローチは、デバイス１２がシステム帯域幅３０を知る必要なく、またデバイスがシステム帯域幅３０内の自身の設定済帯域幅３４の位置を知る必要なく、機能する。このアプローチには、シグナリングオーバヘッドと帯域幅管理の複雑さにおける大幅な削減が伴う。
【００４２】
別の例では、処理回路構成５４は、デバイス１２へシグナリングする値を、参照信号シーケンス４０のオーバレイ部分４４に対応するシーケンスオフセットを識別する、または、システム帯域幅３０内に設定済帯域幅３４の位置オフセットを識別する、オフセット値として決定するように設定される。後者の場合、シーケンスオフセットは、無線通信デバイス１２において導出可能である。同様のアプローチで、処理回路構成５４は、設定済帯域幅３４を、システム帯域幅３０内の参照位置に関係付けるオフセット値として値を決定するように設定される。
【００４３】
同じまたは別の実施形態では、デバイス１２からネットワーク１６で受信されたアップリンク送信に関して、処理回路構成５４は、アップリンク参照信号シーケンスからのどのシーケンスエレメントが、アップリンク送信に含まれるか、またはアップリンク送信と干渉するかを判定するように設定される。この判定は、システム帯域幅３０内のスケジュール済帯域幅３６の位置および規定されたマッピングに基づく。
【００４４】
デバイス１２は、ノード５０ほど複雑ではない可能性があるが、同様にデジタル処理回路構成および関連付けられた通信回路構成を備え得る。図５の例から、デバイス１２は、ネットワーク１６からダウンリンク信号を受信し、アップリンク信号をネットワーク１６に送信するように設定された通信回路構成７２を含む。たとえば、通信回路構成７２は、アップリンクで１つまたは複数の無線ネットワークノード２０に送信し、ダウンリンクで１つまたは複数の無線ネットワークノード２０から受信するように設定された無線周波数ＲＦトランシーバ回路構成を含む。通信回路構成７２はまた、他のデバイス１２との直接のデバイスツーデバイス（Ｄ２Ｄ）通信をサポートすることができ、ＷＬＡＮ通信、Ｂｌｕｅｔｏｏｔｈ通信、近距離通信（ＮＦＣ）などを含み得る。
【００４５】
デバイス１２は、通信回路構成７２と動作可能に関連付けられ、記憶装置７６を含むかまたは記憶装置７６と関連付けられた処理回路構成７４をさらに含む。処理回路構成７４は、固定回路構成、またはプログラムされた回路構成、あるいは固定およびプログラムされた回路構成の組合せを備える。少なくとも１つの実施形態では、処理回路構成７４は、１つまたは複数のマイクロプロセッサ、ＤＳＰ、ＦＰＧＡ、ＡＳＩＣ、または他のデジタル処理回路構成を備える。
【００４６】
少なくとも１つのこのような実施形態では、処理回路構成７４は、記憶装置７６に保持されている１つまたは複数のコンピュータプログラム７８に記憶されているコンピュータプログラム命令の実行に基づいて、本明細書の教示にしたがって設定される。記憶装置７６はさらに、処理回路構成７４によって事前に準備されおよび／または動的に取得された１つまたは複数の設定データ８０の項目を保持することができる。設定データ８０は、たとえば、参照信号シーケンス４０のオーバレイ部分４４を判定するために、ネットワーク１６によってデバイス１２にシグナリングされた値を含む。
【００４７】
１つまたは複数の実施形態では、記憶装置７６は、不揮発性メモリ回路またはディスク記憶装置と揮発性作業メモリとの組合せなど、１つまたは複数のタイプのコンピュータ可読媒体を備える。不揮発性記憶装置の非限定的な例は、ＳＳＤ記憶装置、ＦＬＡＳＨ、およびＥＥＰＲＯＭを含み、揮発性作業メモリの非限定的な例は、ＤＲＡＭまたはＳＲＡＭ回路構成を含む。
【００４８】
通信回路構成７２は、ネットワーク１６内の１つまたは複数のノード、たとえば１つまたは複数の無線ネットワークノード２０と無線通信するように設定される。処理回路構成７４は、通信回路構成７２と動作可能に関連付けられており、たとえば、通信回路構成７２に到来する受信信号を介してデータまたは制御情報を取得し、通信回路構成７２から送信された信号を介してデータまたは制御情報を送信する。さらに、処理回路構成７４は、ネットワーク１６から受信した情報に基づいて、参照信号シーケンス４０のシーケンスオフセットを判定し、そのシーケンスオフセットに基づいて、参照信号シーケンス４０のどの部分がデバイス１２のスケジュール済帯域幅３６にオーバレイするかを判定するように設定される。
【００４９】
参照信号シーケンス４０のオーバレイ部分４４と称されるオーバレイ部分、および前述のようにスケジュール済帯域幅３６は、ネットワーク１６に関連付けられた、より大きなシステム帯域幅３０の一部である。このコンテキストでは、参照信号シーケンス４０は、参照信号シーケンス４０を構成するそれぞれのシーケンスエレメント４２と、システム帯域幅３０を構成するそれぞれの副搬送波３２との間で規定されたマッピングにしたがって、システム帯域幅３０にオーバレイする。
【００５０】
例示的な実施形態では、処理回路構成７４は、参照信号シーケンス４０のオーバレイ部分４４に含まれる１つまたは複数のシーケンスエレメント４２を送信する、参照信号シーケンス４０のオーバレイ部分４４に含まれる１つまたは複数のシーケンスエレメント４２に基づいて復号する、参照信号シーケンス４０のオーバレイ部分４４に含まれる１つまたは複数のシーケンスエレメント４２に基づいて干渉を除去する、参照信号シーケンス４０のオーバレイ部分４４に含まれる１つまたは複数のシーケンスエレメント４２に基づいてチャネルを推定する、のうちの少なくとも１つを実行するように設定される。
【００５１】
少なくともいくつかの実施形態では、ネットワーク１６から受信した情報は、システム帯域幅３０内の設定済帯域幅３４の位置を直接または間接的に示す。対応して、処理回路構成７４は、設定済帯域幅３４の位置、および設定済帯域幅３４内のスケジュール済帯域幅３６の位置に基づいて、シーケンスオフセットを判定するように設定される。すなわち、システム帯域幅３０内の設定済帯域幅３４の位置は、参照信号シーケンス４０内への第１のオフセットを規定し、設定済帯域幅３４内のスケジュール済帯域幅３６の位置は、参照信号シーケンス４０内へのさらなるオフセットを規定する。
【００５２】
シーケンスオフセットを判定するために処理回路構成７４によって使用される情報として、シード値もネットワーク１６によって提供され得る。ここで、処理回路構成７４は、シード値を使用してシーケンスエレメント生成機能をシードすることによって暗黙的にシーケンスオフセットを判定するように設定され、シード値は、シーケンスオフセットの関数である。動作中、シード値によってシードされる、シーケンスエレメント生成機能が、デバイス１２の設定済帯域幅３４に対応するシーケンスエレメント４２を生成する。スケジュール済帯域幅３６は、設定済帯域幅３４内にあり、処理回路構成７４は、設定済帯域幅３４内のスケジュール済帯域幅３６の位置に基づいて、参照信号シーケンス４０のオーバレイ部分４４を判定するように設定される。
【００５３】
別の例では、ネットワーク１６から受信した情報は、デバイス１２の設定済帯域幅３４の位置を、システム帯域幅３０内の参照位置、たとえば参照副搬送波に関係付けるオフセットを示す。対応して、処理回路構成７４は、参照位置に対する設定済帯域幅３４の位置に基づいて、さらに、設定済帯域幅３４内のスケジュール済帯域幅３６の位置に基づいて、シーケンスオフセットを判定するように設定される。
【００５４】
どのシーケンスエレメント４２が自身のスケジュール済帯域幅３６において副搬送波３２に対応するかを知ることは、デバイス１２が、１つまたは複数の受信動作および／または送信動作を実行することを可能にする。たとえば、どのシーケンスエレメント４２が自身のスケジュール済帯域幅３６内の所与の副搬送波３２にマッピングするかを知ることは、処理回路構成７４が、ネットワーク１６内の別のノードまたはデバイスからのそのシーケンスエレメント４２の受信から、デバイス１６において生じる干渉を推定することを可能にする。
【００５５】
ここで、ネットワーク１６内に規定された複数のシーケンスエレメント４０、たとえば基本シーケンスおよび基本シーケンスの１つまたは複数の巡回シフトバージョンがあり得ることを理解されたい。このようなすべてのシーケンス４０が、システム帯域幅３０に関して規定された同じエレメント対副搬送波マッピングを有する場合、デバイス１６は、どのシーケンスエレメント４２を干渉として受信するかは正確に知らない可能性があるが、可能なシーケンスエレメント４２のセットを知っている。これは、デバイス１６が検討しなければならない干渉仮説の数を大幅に限定する。
【００５６】
したがって、少なくともいくつかの実施形態では、処理回路構成７４は、別のデバイスまたはノードによる参照信号送信から生じるデバイス１２における干渉を、参照信号シーケンス４０のオーバレイ部分４４に含まれる１つまたは複数のシーケンスエレメント４２の関数として推定するように設定される。参照信号シーケンス４０のオーバレイ部分４４に含まれるシーケンスエレメント４２は、干渉しているノードまたはデバイスによって使用される巡回シフトに依存し、処理回路構成７４は、可能な巡回シフトの既知のセットにしたがって巡回シフトを仮定することによって干渉を推定するように設定される。
【００５７】
図６および図７は、それぞれデバイス１２およびネットワークノード５０における処理の例示的な実施形態を示す。方法６００は、デバイス１２によって実行され、ネットワーク１６から受信された情報に基づいて、参照信号シーケンス４０のシーケンスオフセットを判定すること（ブロック６０２）と、シーケンスオフセットに基づいて、参照信号シーケンス４０のどの部分が、デバイス１２のスケジュール済帯域幅３６にオーバレイするかを判定すること（ブロック６０４）とを含む。方法６００は、ネットワーク１６がデバイス１２の設定済帯域幅３４を判定する設定動作中などに、問題の情報を受信する先行するステップまたは動作をさらに含むことができる。
【００５８】
方法７００は、ネットワークノード５０によって実行され、参照信号シーケンス４０のどの部分がデバイス１２のスケジュール済帯域幅３６にオーバレイするかをデバイス１２が判定することができる値を決定すること（ブロック７０２）と、この値をデバイス１２へシグナリングすること（ブロック７０４）とを含む。前述のように、スケジュール済帯域幅３６は、デバイス１２の設定済帯域幅３４内に含まれ、方法７００はさらに、デバイス１２のために設定済帯域幅３４を設定するステップまたは動作を含み、デバイス１２に値をシグナリングすることは、帯域幅設定操作と連携して生じ得る。このような情報をデバイス１２にシグナリングすることは、参照信号シーケンス４０のオーバレイ部分４４を判定し、これに対応して、参照信号シーケンス４０のどのシーケンスエレメント４２がスケジュール済帯域幅３６内の副搬送波３２に関連付けられているのかを識別することを可能にする。
【００５９】
少なくともいくつかの実施形態のさらなる例示的な詳細では、「値」または「情報」とも称され得るオフセットパラメータが、ネットワーク１６からデバイス１２にシグナリングされ、これによってデバイス１２は、自身のスケジュール済帯域幅３６または自身の設定済帯域幅３４とオーバラップする参照信号シーケンス４０のシーケンスエレメント４２を判定することができる。参照信号シーケンス４０は、たとえばＤＭＲＳシーケンスであり、そのシーケンスエレメントは、たとえばシステム帯域幅３０に対してグローバルに付番される。デバイス１２は、システム帯域幅３０を知らないことがあり得る。
【００６０】
参照信号シーケンス４０およびその構成シーケンスエレメント４２が、ＤＭＲＳシーケンスおよびＤＭＲＳシーケンスエレメントと称される場合、１つの可能性は、シグナリングされたパラメータは、デバイス１２が、設定済帯域幅３４の最低周波数にマッピングされたＤＭＲＳシーケンスエレメントを判定することを可能にすることである。オフセットパラメータは、たとえば、ＤＭＲＳシーケンスの開始を示す。オフセットパラメータは、もちろん、最高周波数、中間周波数などの他の位置にマッピングされたＤＭＲＳシーケンスエレメントを示すように設定することができる。
【００６１】
図８は、犠牲デバイス１２および２つのアグレッサデバイスを含む対応する例を示しており、たとえば、犠牲デバイス１２は第１のＵＥであり、２つのアグレッサデバイスは他の近くのＵＥである。シグナリングされたパラメータに基づいて、デバイス１２は、ＤＭＲＳシーケンスエレメント３が、自身の設定済帯域幅３４内の第１のＤＭＲＳ位置にマッピングするシーケンスエレメントであると判定することができる。したがって、最も単純な場合には、ネットワーク１６によってデバイス１２にシグナリングされたパラメータは「３」を示すことができる。
【００６２】
この例では３である、シグナリングされたパラメータは、典型的には、デバイスの設定済帯域幅３４に関連するスケジューリング割当とともに、デバイス１２が、そのスケジュール済帯域幅３６によって表される周波数位置に対応するＤＭＲＳシーケンス位置を決定することを可能にする。すなわち、図８において、ネットワーク１６から信号値「３」を受信することにより、デバイス１２は、自身の設定済帯域幅３４の最低周波数位置が「３」であることを知ることができ、これはＤＭＲＳシーケンス位置３、ＤＲＭＳ３に対応する。デバイス１２は、設定済帯域幅３４内のそのスケジュール済帯域幅３６の位置を知っているので、デバイス１２はその後、そのスケジュール済帯域幅に含まれる周波数位置が、ＤＭＲＳシーケンス位置４、５、および６に対応するかマッピングすることを知る。
【００６３】
自身のスケジュール済帯域幅３６にマッピングするＤＭＲＳシーケンスエレメントの実際の値は、仮想セルＩＤのようなデバイス１２に固有のパラメータおよび／またはセル全体に及ぶパラメータから導出され得る。原則として、シグナリングされたパラメータが、設定済帯域幅３４の代わりに、スケジュール済帯域幅３６の第１のまたは指定されたＤＭＲＳシーケンスエレメントを直接示すことも可能である。しかしながら、パラメータを設定済帯域幅３４に関係付けることに関連する特定の利点があり得る。たとえば、パラメータは、設定済帯域幅３４の変化とともにのみシグナリングされる必要があることになる。
【００６４】
デバイス１２がシステム帯域幅３０のほんの一部しかサポートしていない場合、デバイス１２が初期アクセスを行った後に、デバイス１２は、ある帯域幅で設定される。少なくとも１つの実施形態では、デバイスのスケジュール済帯域幅３６とのＤＭＲＳシーケンス整列を判定するために必要とされるパラメータは、設定からデバイス１２において導出可能であり、明示的なシグナリングは必要とされない。
【００６５】
関連実施形態では、システム帯域幅３０内の参照副搬送波が規定される。たとえば、一次同期信号（ＰＳＳ）は、ネットワーク１６によって送信され、デバイス１２によって受信され検出される。検出されたＰＳＳの中心位置は、参照副搬送波として識別され得るか、またはより一般的には、システム帯域幅３０内の任意の副搬送波３２が、参照副搬送波として規定され得る。デバイス１２に設定されている動作帯域幅は、参照副搬送波３２に対する周波数距離を示すことによってシグナリングされる。距離は、副搬送波３２、または対応するリソースブロックなどに関して示され得る。
【００６６】
ＤＭＲＳシーケンスｒ（ｍ）は、参照副搬送波に対して副搬送波ｍごとに生成され、ここで、グローバル付番スキームを作成するために、ｍは正および負の両方であり得る。参照副搬送波から周波数距離を知ることは、これがデバイス１２の動作帯域幅の外側にあるにも関わらず、デバイス１２が、自身のスケジュールされたリソースブロックのためのＤＭＲＳシーケンスを判定することを可能にする。
【００６７】
図８に見られるアグレッサデバイス１、２を考える。各アグレッサデバイスは、デバイス１２のスケジュール済帯域幅３６と少なくとも部分的にオーバラップするスケジュール済帯域幅を有する。グローバル付番スキームを用いると、デバイス１２のスケジュール済帯域幅３６と、アグレッサデバイス１、２との間で共通の任意の周波数位置は、同じＤＭＲＳシーケンス位置にマッピングされることになる。したがって、デバイス１２が、どのＤＭＲＳシーケンスがアグレッサデバイスで使用され得るかを知っている場合、アグレッサデバイスから、どのＤＭＲＳシーケンスエレメントが、自身のスケジュール済帯域幅３６に含まれる副搬送波３２でデバイス１２において受信され得るかが正確に分かる。
【００６８】
たとえば、基本ＤＭＲＳシーケンスおよび規定された巡回シフトのセットを使用すること等によって規定された、限られた数のＤＭＲＳシーケンスが存在し得る。各巡回シフトは、異なるＤＭＲＳシーケンスを生成すると考えられ得る。しかしながら、このような各ＤＭＲＳシーケンス内のシーケンスエレメントはすべてグローバルマッピングに準拠し、すなわち、各ＤＭＲＳシーケンス内のシーケンス位置は、同じグローバル付番およびマッピングにより、システム帯域幅３０の周波数位置にマッピングする。したがって、第１のＤＭＲＳシーケンスのシーケンス位置「ｘ」のシーケンスエレメントの実際の値は、第２のＤＭＲＳシーケンスのシーケンス位置「ｘ」のシーケンスエレメントの値とは異なることになる。しかしながら、両方のシーケンスからのシーケンス位置「ｘ」は、グローバルシステム帯域幅内の同じ周波数位置にマッピングする。したがって、単純化された例として、送信機によって使用され得る５つのＤＲＭＳシーケンスが存在すると仮定すると、シーケンス位置「ｘ」において送信機によって送信され得る５つ以下の可能なシーケンスエレメント値が存在する。対応して、シーケンス位置「ｘ」に対応する副搬送波３２に関して、これらの送信によって干渉されている受信機は、自身の干渉仮説を５つの可能なシーケンスエレメント値のセットに制限することができる。
【００６９】
言い換えれば、デバイス１２が、アグレッサデバイスにおける使用のために可能なＤＭＲＳシーケンスを知っていれば、たとえば、可能な巡回シフトを知っていれば、関与するシーケンス位置に対応する副搬送波３２において受信するＤＲＭＳシーケンスエレメントについて可能な値の母集団が分かる。図に見られるように、ＤＭＲＳシーケンスエレメントのグローバル付番のために、デバイス１２のスケジュール済帯域幅３６とオーバラップするアグレッサデバイス１、２からの干渉ＤＭＲＳシーケンスエレメントはまた、エレメント４乃至６である。ＤＭ−ＲＳ干渉を除去するために、デバイス１２は、１つまたは少数のシーケンス候補をテストするだけでよく、異なるシーケンス位置をテストする必要はない。デバイス１２は、たとえば、無線ネットワークノード２０などの近隣の送信ポイントからセルＩＤを知り、その送信ポイントの仮想セルＩＤから送信ポイントに接続された１つまたは少数のＤＭ−ＲＳシーケンスを導出することができる。
【００７０】
自身のスケジュール済帯域幅３６の周波数位置に対応するＤＭＲＳシーケンス位置を決定するために、デバイス１２によって必要とされる情報をネットワーク１６が提供するための別の可能性は、シード値をシグナリングすることである。ＤＭＲＳのために使用されるシーケンスは、しばしば、指定されたシード値、たとえば、ｃ＿ｉｎｉｔで初期化される擬似ランダムシーケンス生成器によって生成される擬似ランダムシーケンスである。擬似ランダムシーケンス生成器はシード値を用いて初期化され得、その後、シーケンスエレメント０で始まるグローバルＤＭＲＳシーケンスにマッピングされるシーケンスを生成し、これは、システム帯域幅３６内の最低のＤＭ−ＲＳエレメントにマッピングされる。
【００７１】
図８では、第４のシーケンスエレメントは、デバイス１２の設定済帯域幅３４内の最初のＤＭ−ＲＳエレメントである。したがって、デバイス１２内の擬似ランダムシーケンス生成器は、同じ擬似ランダムシーケンスを生成するが、図ではＤＭＲＳ３とラベル付けされたシーケンスエレメント４で始まるシード値を用いて設定され得る。さらなる実施形態では、システム帯域幅内の参照副搬送波のセットに対応する可能なシード値ｃ＿ｉｎｉｔのセットが存在する。デバイス１２は、最も近い参照副搬送波へのオフセットと、参照副搬送波の識別情報とがシグナリングされる。ｃ＿ｉｎｉｔに対応するＤＭＲＳシーケンスｒ（ｍ）を生成するために、シフトレジスタ値が記憶される必要がある。たとえば、ｍシーケンスがＬＴＥにおけるように使用される場合、ｘ＿１（ｎ）、ｘ＿２（ｎ）はｎの範囲に対して記憶される必要がある。デバイス１２は、たとえば１００ＭＨｚの間隔で、参照副搬送波のセットにマッピングされたシーケンスエレメントに対応するシフトレジスタメモリ値を記憶することができる。デバイス１２が０から１００ＭＨｚ（元のｃ＿ｉｎｉｔ）またはｎ＊１００から（ｎ＋１）＊１００ＭＨｚ（ｎ＝１，２，３の３つのｃ＿ｉｎｉｔ値）に位置されているかどうかに応じて、ランダム生成器を、元のｃ＿ｉｎｉｔまたは他の３つの他のｃ＿ｉｎｉｔ値の１つに初期化する。この利点は、シーケンスの順方向生成が、最大１００ＭＨｚに制限されることであり、これはデバイスの設定済帯域幅３４から参照副搬送波までの最長距離である。そうでなければ、非常に大きなシステム帯域幅、たとえば１ＧＨｚについて、設定済帯域幅３４へのシーケンスｒ（ｍ）の順方向生成は、要求が厳しくなる。
【００７２】
概して、１つまたは複数の実施形態におけるネットワーク１６は、デバイス１２が自身の参照信号を判定するために、すなわち参照信号シーケンスのどの部分がそのスケジュール済帯域幅３６に対応するかを判定するために使用するパラメータを、デバイス１２にシグナリングするように設定される。この構成により、デバイス１２は、システム帯域幅３０またはシステム帯域幅３０内のそのスケジュール済帯域幅３６の位置を知る必要なく、どのＤＭＲＳシーケンスエレメントが、スケジュール済帯域幅３６に適合するかを判定することができる。このようなアプローチは、グローバル付番スキームを使用して、ネットワーク１６が、ＤＭＲＳシーケンス位置を、システム帯域幅３０内の周波数位置に関係付けるまたはマッピングすることを可能にする。
【００７３】
ネットワーク１６によってデバイス１２にシグナリングされるパラメータは、グローバルＤＭＲＳシーケンスのどの部分を「切り出す」かをデバイス１２に知らせるオフセットパラメータであり得、たとえば、これは、デバイス１２の設定済帯域幅３４の先頭にマッピングする参照信号シーケンスエレメント番号であり得る。このパラメータは、そのスケジュール済帯域幅３６がその設定済帯域幅３４内のどこにあるかについてのデバイスの知識とともに、デバイス１２がそのスケジュール済帯域幅３６にマッピングされる参照信号シーケンスエレメントを判定することを可能にする。シグナリングされたパラメータは、擬似ランダムシーケンスがＤＭ−ＲＳのために使用されると仮定して、デバイス１２にその擬似ランダムシーケンス生成器をどのように初期化するかを通知するシードパラメータでもあり得る。最初に生成されたシーケンスエレメントは再度、デバイスの設定済帯域幅３４の先頭にマッピングされた参照信号シーケンスエレメントに対応する。
【００７４】
このような動作は、たとえデバイス１２が、システム帯域幅３０またはシステム帯域幅３０に対するその帯域幅位置を知らなくとも、システム帯域幅に対するＤＭＲＳシーケンスのグローバル付番を可能にする。犠牲およびアグレッサの周波数位置とは無関係に、犠牲デバイス１２は、アグレッサＤＭ−ＲＳシーケンスのどのシーケンスエレメント番号が、そのスケジュール済帯域幅３６とオーバラップし、これによって干渉ＤＭＲＳを容易に除去できるかを知っている。最も単純な場合、ＤＭＲＳは、セルＩＤまたは仮想セルＩＤなどの同様のパラメータにのみ依存し、犠牲デバイス１２は、干渉しているノードのセルＩＤを知っていれば、干渉シーケンスエレメントも知っている。実際の設定では、所与の送信ポイントは、１つのセルＩＤに関連付けられ得るが、擬似直交参照信号を作成し得る。この場合でさえも、犠牲デバイス１２がセルＩＤを知っていれば、送信ポイントによる参照信号の送信からデバイス１２で生じる干渉を除去するために、いくつかの候補シーケンスをテストするだけでよい。
【００７５】
図９は、犠牲デバイス１２と２つのアグレッサデバイス１、２に対する参照信号シーケンス位置間のグローバル整列を示すことによってこのシナリオを強調する。特に、システム帯域幅３０の周波数位置付番に一般的に関係する同じシーケンス位置付番が、犠牲デバイス１２ならびにアグレッサデバイス１および２に適合することが分かる。すなわち、犠牲デバイス１２のスケジュール済帯域幅にオーバレイする参照信号シーケンスの部分４４−１は、アグレッサデバイス１、２のスケジュール済帯域幅にオーバレイする部分４４−２、４４−３のために使用されるのと同じシーケンス位置付番／マッピングを使用する。実際の参照信号シーケンスは、３つのデバイスについて必ずしも同じではないことに留意されたい。すなわち、オーバレイ部分４４−１、４４−２、４４−３のおのおのにおけるシーケンスエレメント関連シーケンス位置４は、異なる値を有することができるが、そのシーケンス位置の整列またはマッピングは、３つすべてのデバイスについて同じである。
【００７６】
上記の詳細を広く理解すると、無線通信ネットワーク１６における使用のために、１つまたは複数の参照信号シーケンス４０が利用可能または規定されている。このような各参照信号シーケンス４０は、シーケンスエレメント４２のシリーズまたはセットを含み、各シーケンスエレメントは、参照信号シーケンス４０内の対応する位置を占める。ネットワーク１６、たとえば所与の無線ネットワークノード２０は、そのシステム帯域幅３０に、グローバル付番スキーム、たとえばそのシステム帯域幅３０を構成する周波数副搬送波３２のためにグローバル付番スキームを使用する。各副搬送波３２は、周波数位置を占有していると見なすことができ、ネットワーク１６は、参照信号位置を周波数位置に関係付ける規定されたマッピングを使用する。
【００７７】
デバイス１２は、設定済帯域幅３４を用いて設定され、設定済帯域幅３４は、システム帯域幅３０内のいずれかに配置される。動作中、デバイス１２は、設定済帯域幅３４のすべてまたは一部を占有するスケジュール済帯域幅３６を使用する。参照信号シーケンス位置と周波数位置との間で規定されたマッピングまたは整列によって、デバイスのスケジュール済帯域幅３６に関連付けられた周波数位置に対応するシーケンス位置は、スケジュール済帯域幅３６がシステム帯域幅３０内のどこに位置するかによって決定される。しかし、本明細書の教示によれば、デバイス１２は、どの参照信号シーケンス位置が、自身のスケジュール済帯域幅３６に対応するかを知るために、システム帯域幅３０を知る必要はなく、あるいはその設定済／スケジュール済帯域幅３４／３６の位置さえ知る必要がない。これらの必要性は、ネットワーク１６がデバイス１２に情報をシグナリングすることによって回避され、そこからデバイス１２は、そのシステム帯域幅３６に対応するシーケンスオフセットを暗黙的または明示的に判定することができる。
【００７８】
特に、開示された発明の修正および他の実施形態は、前述の説明および関連付けられた図面に提示された教示の利益を享受する当業者に思い浮かぶであろう。一例として、本明細書の教示は、無線通信ネットワークにおけるアップリンクとダウンリンクとの両方に適用可能である。したがって、本発明は、開示された固有の実施形態に限定されるものではなく、修正および他の実施形態が、この開示の範囲内に含まれることが意図されていることを理解されたい。本明細書では固有の用語が適用され得るが、これらは一般的かつ説明的な意味でのみ使用されており、限定の目的では使用されていない。
【図１】
2020516097.tif 000012
【図２】
2020516097.tif 000013
【図３】
2020516097.tif 000014
【図４】
2020516097.tif 000015
【図５】
2020516097.tif 000016
【図６】
2020516097.tif 000017
【図７】
2020516097.tif 000018
【図８】
2020516097.tif 000019
【図９】
2020516097.tif 000020
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
無線通信ネットワーク（１６）における動作のために設定された無線通信デバイス（１２）における動作の方法（６００）であって、
前記ネットワーク（１６）内のネットワークノード（５０）から受信した情報に基づいて、参照信号シーケンス（４０）のシーケンスオフセットを判定すること（６０２）と、
前記シーケンスオフセットに基づいて、前記参照信号シーケンス（４０）のどの部分が、前記参照信号シーケンス（４０）のオーバレイ部分（４４）と称される前記無線通信デバイス（１２）のスケジュール済帯域幅（３６）にオーバレイするかを判定すること（６０４）と、
前記参照信号シーケンス（４０）の前記オーバーレイ部分（４４）に含まれる１つまたは複数のシーケンスエレメント（４２）を送信することとを備え、
前記スケジュール済帯域幅（３６）は、前記ネットワーク（１６）に関連付けられた、より大きなシステム帯域幅（３０）の一部であり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間のマッピングにしたがって、前記システム帯域幅（３０）にオーバレイする、方法（６００）。
【請求項２】
前記参照信号シーケンス（４０）の前記オーバレイ部分（４４）に含まれる１つまたは複数の前記シーケンスエレメント（４２）に基づいて復号を実行することと、
前記参照信号シーケンス（４０）の前記オーバレイ部分（４４）に含まれる１つまたは複数の前記シーケンスエレメント（４２）に基づいて干渉除去を実行することと、
前記参照信号シーケンス（４０）の前記オーバレイ部分（４４）に含まれる１つまたは複数の前記シーケンスエレメント（４２）に基づいてチャネル推定を実行することと
のうちの少なくとも１つを実行することをさらに備えた、請求項１に記載の方法（６００）。
【請求項３】
前記ネットワークノード（５０）から受信した前記情報は、前記システム帯域幅（３０）内の設定済帯域幅（３４）の位置を示し、前記シーケンスオフセットを判定すること（６０２）は、前記設定済帯域幅（３４）の位置、および前記スケジュール済帯域幅（３６）の位置に基づいて、前記シーケンスオフセットを判定することを備え、前記スケジュール済帯域幅（３６）は、前記設定済帯域幅（３４）内に含まれる、請求項１または２に記載の方法（６００）。
【請求項４】
前記ネットワークノード（５０）から受信した前記情報は、シード値を示し、前記シーケンスオフセットを判定すること（６０２）は、前記シード値を使用してシーケンスエレメント生成機能をシードすることによって、前記シーケンスオフセットを判定することを備え、前記シード値は、前記シーケンスオフセットの関数である、請求項１に記載の方法（６００）。
【請求項５】
前記マッピングは、前記参照信号シーケンス（４０）を構成するそれぞれのシーケンスエレメント（４２）を、前記システム帯域幅（３０）を構成するそれぞれの副搬送波（３２）にマッピングする、請求項１から４のいずれか一項に記載の方法（６００）。
【請求項６】
前記ネットワークノード（５０）から受信した前記情報は、前記無線通信デバイス（１２）の設定済帯域幅（３４）の位置を、前記システム帯域幅（３０）内の参照位置に関係付けるオフセットを示し、前記シーケンスオフセットを判定すること（６０２）は、前記参照位置に対する前記設定済帯域幅（３４）の位置に基づいて、さらに、前記設定済帯域幅（３４）内の前記スケジュール済帯域幅（３６）の位置に基づいて、前記シーケンスオフセットを判定することを備える、請求項１に記載の方法（６００）。
【請求項７】
無線通信ネットワーク（１６）における動作のために設定された無線通信デバイス（１２）であって、
前記ネットワーク（１６）内の１つまたは複数のノードと無線通信するように設定された通信回路構成（７２）と、
前記通信回路構成（７２）と動作可能に関連付けられ、
前記ネットワーク（１６）内のネットワークノード（５０）から受信した情報に基づいて、参照信号シーケンス（４０）のシーケンスオフセットを判定し、
前記シーケンスオフセットに基づいて、前記参照信号シーケンス（４０）のどの部分が、前記参照信号シーケンス（４０）のオーバレイ部分（４４）と称される前記無線通信デバイス（１２）のスケジュール済帯域幅（３６）にオーバレイするのかを判定し、
前記参照信号シーケンス（４０）の前記オーバーレイ部分（４４）に含まれる１つまたは複数のシーケンスエレメント（４２）を送信するように設定された処理回路構成（７４）とを備え、
前記スケジュール済帯域幅（３６）は、前記ネットワーク（１６）に関連付けられた、より大きなシステム帯域幅（３０）の一部であり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間のマッピングにしたがって、前記システム帯域幅（３０）にオーバレイする、無線通信デバイス（１２）。
【請求項８】
前記処理回路構成（７４）は、
前記参照信号シーケンス（４０）の前記オーバレイ部分（４４）に含まれる１つまたは複数の前記シーケンスエレメント（４２）に基づいて復号することと、
前記参照信号シーケンス（４０）の前記オーバレイ部分（４４）に含まれる１つまたは複数の前記シーケンスエレメント（４２）に基づいて干渉を除去することと、
前記参照信号シーケンス（４０）の前記オーバレイ部分（４４）に含まれる１つまたは複数の前記シーケンスエレメント（４２）に基づいてチャネルを推定することと
のうちの少なくとも１つを実行するように設定された、請求項７に記載の無線通信デバイス（１２）。
【請求項９】
前記ネットワークノード（５０）から受信した前記情報は、前記システム帯域幅（３０）内の設定済帯域幅（３４）の位置を直接または間接的に示し、前記処理回路構成（７４）は、前記設定済帯域幅（３４）の位置、および前記スケジュール済帯域幅（３６）の位置に基づいて、前記シーケンスオフセットを判定するように設定され、前記スケジュール済帯域幅（３６）は、前記設定済帯域幅（３４）内に含まれる、請求項７または８に記載の無線通信デバイス（１２）。
【請求項１０】
前記ネットワークノード（５０）から受信した前記情報は、シード値を示し、前記処理回路構成（７４）は、前記シード値を使用してシーケンスエレメント生成機能をシードすることによって、前記シーケンスオフセットを判定するように設定され、前記シード値は、前記シーケンスオフセットの関数である、請求項７に記載の無線通信デバイス（１２）。
【請求項１１】
前記マッピングは、前記参照信号シーケンス（４０）を構成するそれぞれのシーケンスエレメント（４２）を、前記システム帯域幅（３０）を構成するそれぞれの副搬送波（３２）にマッピングする、請求項７から１０のいずれか一項に記載の無線通信デバイス（１２）。
【請求項１２】
前記ネットワークノード（５０）から受信した前記情報は、前記無線通信デバイス（１２）の設定済帯域幅（３４）の位置を、前記システム帯域幅（３０）内の参照位置に関係付けるオフセットを示し、前記処理回路構成（７４）は、前記参照位置に対する前記設定済帯域幅（３４）の位置に基づいて、さらに、前記設定済帯域幅（３４）内の前記スケジュール済帯域幅（３６）の位置に基づいて、前記シーケンスオフセットを判定するように設定された、請求項７に記載の無線通信デバイス（１２）。
【請求項１３】
無線通信ネットワーク（１６）における動作のために設定されたネットワークノード（５０）における動作の方法（７００）であって、
参照信号シーケンス（４０）のどの部分が、前記参照信号シーケンス（４０）のオーバレイ部分（４４）と称される、無線通信デバイス（１２）のスケジュール済帯域幅（３６）にオーバレイしているのかを無線通信デバイス（１２）が判定できる値を決定すること（７０２）であって、前記スケジュール済帯域幅（３６）は、前記無線通信デバイス（１２）のために設定されている設定済帯域幅（３４）内、およびより大きなシステム帯域幅（３０）内にあり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間のマッピングにしたがって、前記システム帯域幅（３０）にオーバレイする、決定すること（７０２）と、
前記値を前記無線通信デバイス（１２）へシグナリングすること（７０４）とを備えた、方法（７００）。
【請求項１４】
前記値を決定すること（７０２）は、前記無線通信デバイス（１２）においてシーケンスエレメント生成機能をシードするためのシード値を決定することを備えた、請求項１３に記載の方法（７００）。
【請求項１５】
前記値を決定すること（７０２）は、前記参照信号シーケンス（４０）の前記オーバレイ部分（４４）に対応するシーケンスオフセットを識別する、または、前記システム帯域幅（３０）内の前記設定済帯域幅（３４）の位置オフセットを識別する、オフセット値を決定することを備え、そこから、前記シーケンスオフセットが前記無線通信デバイス（１２）において導出可能である、請求項１３に記載の方法（７００）。
【請求項１６】
前記値を決定すること（７０２）は、前記設定済帯域幅（３４）を、前記システム帯域幅（３０）内の参照位置に関係付けるオフセット値を決定することを備えた、請求項１３に記載の方法（７００）。
【請求項１７】
無線通信ネットワーク（１６）における動作のために設定されたネットワークノード（５０）であって、
前記ネットワーク（１６）において動作する無線通信デバイス（１２）と直接または間接的に通信するように設定された通信回路構成（５２）と、
前記通信回路構成（５２）と動作可能に関連付けられた処理回路構成（５４）であって、
参照信号シーケンス（４０）のどの部分が、前記参照信号シーケンス（４０）のオーバレイ部分（４４）と称される、前記無線通信デバイス（１２）のスケジュール済帯域幅（３６）にオーバレイしているのかを前記無線通信デバイス（１２）が判定できる値を決定することであって、前記スケジュール済帯域幅（３６）は、前記無線通信デバイス（１２）のために設定されている設定済帯域幅（３４）内、およびより大きなシステム帯域幅（３０）内にあり、前記参照信号シーケンス（４０）は、前記参照信号シーケンス（４０）を構成するそれぞれのシーケンスエレメント（４２）と、前記システム帯域幅（３０）を構成するそれぞれの副搬送波（３２）との間のマッピングにしたがって、前記システム帯域幅（３０）にオーバレイする、決定することと、
前記値を前記無線通信デバイス（１２）へシグナリングすることと、
を実行するように設定された処理回路構成（５４）とを備えた、ネットワークノード（５０）。
【請求項１８】
前記処理回路構成（５４）は、前記値を、前記無線通信デバイス（１２）においてシーケンスエレメント生成機能をシードするためのシード値として決定するように設定された、請求項１７に記載のネットワークノード（５０）。
【請求項１９】
前記処理回路構成（５４）は、前記参照信号シーケンス（４０）の前記オーバレイ部分（４４）に対応するシーケンスオフセットを識別する、または、前記システム帯域幅（３０）内の前記設定済帯域幅（３４）の位置オフセットを識別するオフセット値として、前記値を決定するように設定され、そこから、前記シーケンスオフセットが前記無線通信デバイス（１２）において導出可能である、請求項１７に記載のネットワークノード（５０）。
【請求項２０】
前記処理回路構成（５４）は、前記設定済帯域幅（３４）を前記システム帯域幅（３０）内の参照位置に関係付けるオフセット値として、前記値を決定するように設定された、請求項１７に記載のネットワークノード（５０）。
【国際調査報告】
2020516097.tif 000021
2020516097.tif 000022
2020516097.tif 000023
2020516097.tif 000024
2020516097.tif 000025
2020516097.tif 000026